(57)【要約】【課題】外力による導光部材の破損を防止し得るようにする。【解決手段】飲料容器を収容可能な有底容器状のカップホルダ本体３と、このカップホルダ本体３の上縁部に設置された加飾用のフィニッシャ部材４と、フィニッシャ部材４の下部とカップホルダ本体３の上縁部との間に介在された導光部材５と、を備えたカップホルダ１に関する。  上記カップホルダ本体３に、導光部材設置部１１と、フィニッシャ部材固定部１２とを設ける。  このフィニッシャ部材固定部１２が、上記フィニッシャ部材４を、導光部材５の上方に間隙部１３を有して離間させた状態でカップホルダ本体３に固定するものとされる。【選択図】図４
2015223968.tif 000002
【特許請求の範囲】
【請求項１】
飲料容器を収容可能な有底容器状のカップホルダ本体と、該カップホルダ本体の上縁部に設置された加飾用のフィニッシャ部材と、該フィニッシャ部材の下部と前記カップホルダ本体の上縁部との間に介在されて、光源からの光によってカップホルダ本体の内部を照明可能な導光部材と、を備えたカップホルダであって、
前記カップホルダ本体に、前記導光部材を設置可能な導光部材設置部と、前記フィニッシャ部材を固定可能なフィニッシャ部材固定部とを設けると共に、
該フィニッシャ部材固定部が、前記フィニッシャ部材を、導光部材の上方に間隙部を有して離間させた状態でカップホルダ本体に固定するものとされたことを特徴とするカップホルダ。
【請求項２】
請求項１に記載のカップホルダであって、
前記フィニッシャ部材の、前記導光部材を覆っている部分よりも外周側に、上方へ立ち上がる立上部を設け、
該立上部の内側に、前記フィニッシャ部材固定部に対する固定用ボス部が設けられたことを特徴とするカップホルダ。
【請求項３】
請求項１または請求項２に記載のカップホルダであって、
前記導光部材に、前記光源からの光が入光される入光部が突設され、
該入光部が、前記光源からの光が出射される出射孔部へ挿入可能な挿入端部とされ、
該挿入端部の近傍に、前記出光用孔部への液体の侵入を防止可能な侵入防止用拡径部が設けられたことを特徴とするカップホルダ。
【発明の詳細な説明】
【技術分野】
【０００１】
この発明は、カップホルダに関するものである。
【背景技術】
【０００２】
自動車などの車両には、車室内の各所にカップホルダが設けられている（例えば、特許文献１参照）。
【０００３】
このようなカップホルダには、飲料容器を収容可能な有底容器状のカップホルダ本体と、このカップホルダ本体の上縁部に設置された加飾用のフィニッシャ部材と、を備えたものが存在する。
【０００４】
そして、フィニッシャ部材の下部とカップホルダ本体の上縁部との間に、導光部材を挟着状態で取付け、光源からの光を導光部材へ導いて、カップホルダ本体の内部を照明することも行われている。
【先行技術文献】
【特許文献】
【０００５】
【特許文献１】特開２００７−２０３８００号公報
【発明の概要】
【発明が解決しようとする課題】
【０００６】
しかしながら、上記カップホルダでは、導光部材を、フィニッシャ部材の下部とカップホルダ本体の上縁部との間に、挟着状態で取付けていたので、フィニッシャ部材に上方からの外力が作用した時に、上記した外力が、直接導光部材へ伝わってしまい、導光部材が破損するおそれがあった。
【０００７】
そこで、本発明は、上記した問題点を解決することを、主な目的としている。
【課題を解決するための手段】
【０００８】
上記課題を解決するために、本発明は、
飲料容器を収容可能な有底容器状のカップホルダ本体と、該カップホルダ本体の上縁部に設置された加飾用のフィニッシャ部材と、該フィニッシャ部材の下部と前記カップホルダ本体の上縁部との間に介在されて、光源からの光によってカップホルダ本体の内部を照明可能な導光部材と、を備えたカップホルダであって、
前記カップホルダ本体に、前記導光部材を設置可能な導光部材設置部と、前記フィニッシャ部材を固定可能なフィニッシャ部材固定部とを設けると共に、
該フィニッシャ部材固定部が、前記フィニッシャ部材を、導光部材の上方に間隙部を有して離間させた状態でカップホルダ本体に固定するものとされたことを特徴としている。
【発明の効果】
【０００９】
本発明によれば、上記構成によって、外力による導光部材の破損を防止することができる。
【図面の簡単な説明】
【００１０】
【図１】本実施の形態の実施例にかかるカップホルダの全体斜視図である。
【図２】図１のカップホルダの分解斜視図である。
【図３】図２のカップホルダ本体の斜視図である。
【図４】図３の中間部の縦断面図（Ａ−Ａ線に沿った断面図）である。
【図５】図４の部分拡大断面図である。
【図６】導光部材の入光部周辺の拡大斜視図である。
【図７】図６の入光部の挿入端部周辺の縦断面図（または図３のＢ−Ｂ線に沿った断面図）である。
【発明を実施するための形態】
【００１１】
以下、本実施の形態を、図面を用いて詳細に説明する。
図１〜図７は、この実施の形態を説明するためのものである。
【実施例１】
【００１２】
＜構成＞以下、この実施例の構成について説明する。
【００１３】
自動車などの車両には、車室内の各所に、例えば、図１の斜視図に示すような、カップホルダ１が設けられる。この場合には、カップホルダ１は、例えば、運転席と助手席との間に設置されたセンターコンソールに設けられるものとされる。このカップホルダ１を、図２の分解斜視図に示すように、飲料容器を収容可能な有底容器状のカップホルダ本体３と、このカップホルダ本体３の上縁部に設置された加飾用のフィニッシャ部材４と、を備えたものとする。
【００１４】
そして、フィニッシャ部材４の下部とカップホルダ本体３の上縁部との間に、導光部材５を介在させ、光源６からの光を導光部材５へ導いて、カップホルダ本体３の内部を照明させるようにする。
【００１５】
ここで、カップホルダ本体３は、例えば、二連形状のものとされる（図３、の単品図も合わせて参照）。但し、カップホルダ本体３は、二連形状に限るものではない。フィニッシャ部材４には、カップホルダ本体３の上縁部の形状に応じた平面視ほぼ８の字状の開口部４ａが形成される。導光部材５は、カップホルダ本体３の上縁部の形状に合わせてほぼ８の字状の平面形状を有するものとされる。導光部材５は、透明なアクリル樹脂やポリカーボネート樹脂などによって形成される。光源６は、ＬＥＤなどとされる。光源６には、電力を供給するためのハーネス７が接続される。
【００１６】
以上のような基本的な構成に対し、この実施例では、以下のような構成を備えるようにしている。
【００１７】
（１）図４の縦断面図（および図５の部分拡大断面図）に示すように、上記カップホルダ本体３に、上記導光部材５を設置可能な導光部材設置部１１と、上記フィニッシャ部材４を固定可能なフィニッシャ部材固定部１２とを設ける。
このフィニッシャ部材固定部１２が、上記フィニッシャ部材４を、導光部材５の上方に間隙部１３を有して離間させた状態でカップホルダ本体３に固定するものとされる。
【００１８】
ここで、導光部材設置部１１は、カップホルダ本体３の上縁部に設けられた横方向へ広がるフランジ部１１ａと、このフランジ部１１ａの外周縁部から上方へ立ち上がる立上部１１ｂとを有するものとされる。このフランジ部１１ａは、導光部材５の底面を支持する取付座面および上下方向位置決め部とされる。また、立上部１１ｂは、導光部材５を横方向に対して位置決めする横方向位置決め部とされる。そして、立上部１１ｂの外側には、カップホルダ本体３の上縁部に沿った複数の箇所に、導光部材５の外側面が嵌り込む嵌合部１１ｃを有して、導光部材５の外側上部を係止可能な係止爪部１１ｄが、所要の間隔を有して形成される。この係止爪部１１ｄは、フランジ部１１ａとの間で導光部材５を上下方向に挟着保持するものとされる。そして、これらの構造により、カップホルダ本体３は、単独で導光部材５を支持固定できるものとされる。また、導光部材５は、フィニッシャ部材４に対して取付けられないものとされる。
【００１９】
これに対し、導光部材５は、カップホルダ本体３の上縁部におけるフランジ部１１ａの上面および立上部１１ｂの内面に沿って設置される。そして、導光部材５の内周面側の頂部には、フィニッシャ部材４の開口部４ａの縁部の先端形状とほぼ同じ形状をした凹部５ａが形成される。また、導光部材５の外周側の底部には、フランジ部１１ａと立上部１１ｂとが成すコーナー部分に相当するエッジ形状が外部から見えてしまうのを防止するためのアール部５ｂが、中見え防止形状部として形成されている。
【００２０】
更に、導光部材５の上記嵌合部１１ｃおよび係止爪部１１ｄが設けられた部分には、立上部１１ｂを跨いて立上部１１ｂの裏側へ延び、嵌合部１１ｃに嵌合され係止爪部１１ｄに係止される嵌合係止部５ｃが一体に設けられる。
【００２１】
フィニッシャ部材固定部１２は、フィニッシャ部材４を下側からビス止めするための取付孔を有するものとされる。このフィニッシャ部材固定部１２は、導光部材設置部１１よりも外側の位置に、複数箇所設けられる。フィニッシャ部材固定部１２の取付孔は、カップホルダ本体３の上縁部近傍から外方へ向けて一体に形成された張出し片に対して設けられる。
【００２２】
また、間隙部１３は、フィニッシャ部材４の開口部４ａの縁部と、導光部材５の内周面側の凹部５ａと、の間に形成される。
【００２３】
（２）上記フィニッシャ部材４の、上記導光部材５を覆っている部分よりも外周側に、上方へ立ち上がる立上部２１を設ける。
この立上部２１の内側に、上記フィニッシャ部材固定部１２に対する固定用ボス部２２が設けられる。
【００２４】
ここで、立上部２１は、例えば、４５°よりも角度が大きい急傾斜面などとすることができる。立上部２１は、フィニッシャ部材４の開口部４ａに対し、全周に亘って設けられる。立上部２１の内側とは、カップホルダ本体３の中心側の意味である。固定用ボス部２２は、立上部２１と、導光部材５との間に位置される。
【００２５】
（３）そして、図６に示すように、上記導光部材５に、上記光源６からの光が入光される入光部３１が突設される。
この入光部３１が、上記光源６からの光が出射する出射孔部３２へ挿入可能な挿入端部３３とされる。
そして、図７に示すように、この挿入端部３３の近傍に、上記出射孔部３２への液体３４の侵入を防止可能な侵入防止用拡径部３５が設けられる。
【００２６】
ここで、入光部３１は、円形状または円形を連ねた形状（この場合には、８の字状）の導光部材５から、接線方向に突設される。出射孔部３２は、光源６を収容する光源ホルダ３６に設けられる。出射孔部３２は、短い筒状のものとされる。液体３４は、飲料容器からこぼれた飲料や、外部から侵入した雨水などを想定している。侵入防止用拡径部３５は、鍔状のものとしても良いが、この場合には、出射孔部３２の側へ向かって拡径する円錐形状のものとしている。
【００２７】
＜作用効果＞この実施例によれば、以下のような作用効果を得ることができる。
【００２８】
（１）有底容器状のカップホルダ本体３に対し、飲料容器を上方から挿入することにより、飲料容器を収容することができる。
【００２９】
そして、光源６からの光を導光部材５へ導くことにより、カップホルダ１内部における、カップホルダ本体３の上縁部と加飾用のフィニッシャ部材４の下部との間の部分を横線状に照明することができる。
【００３０】
この際、導光部材５は、導光部材設置部１１を介してカップホルダ本体３（の上縁部）に設置（載置状態で係止保持）されると共に、フィニッシャ部材４は、フィニッシャ部材固定部１２を介してカップホルダ本体３に固定される。これにより、フィニッシャ部材４と導光部材５とが、互いに直接固定されない保持構造が得られる。また、フィニッシャ部材４と導光部材５との間には、間隙部１３が確保されている。そのため、例えば、乗員がフィニッシャ部材４に手を付くなどにより、フィニッシャ部材４に上方からの外力Ｆ（図４参照）が作用した時に、上記した外力Ｆが、フィニッシャ部材固定部１２を介してカップホルダ本体３へと伝えられる（逃される）ことになるので、フィニッシャ部材４とカップホルダ本体３とによって最初に上記外力Ｆが吸収される。そして、上記外力Ｆで、フィニッシャ部材４およびカップホルダ本体３が変形されると、この変形に従って、導光部材５は、全体的に変形されることになる。よって、導光部材５に部分的な応力が作用することが防止される。その結果、導光部材５は、上記外力Ｆの影響を受け難くなるので、導光部材５の破損を効果的に防止することができる。
【００３１】
導光部材５は、透明なアクリル樹脂やポリカーボネート樹脂などによって形成されるが、上記した構造は、割れ易いアクリル樹脂で導光部材５を形成した場合などに、特に有効である。
【００３２】
（２）フィニッシャ部材４の、導光部材５を覆っている部分よりも外周側に、上方へ立ち上がる立上部２１を設けた。そして、この立上部２１の内側に、フィニッシャ部材固定部１２に対する固定用ボス部２２を設けた。これにより、上方からの外力Ｆが、フィニッシャ部材４の導光部材５を覆っている部分よりも、外周側の立上部２１に対して入力され易くなる。そして、立上部２１に上方からの外力Ｆが作用すると、フィニッシャ部材４は、梃子（テコ）の原理で、導光部材５の内側の固定用ボス部２２を支点として導光部材５を覆っている部分が持ち上がる方向に変形し、これによって、フィニッシャ部材４と導光部材５との間隙部１３が大きく開くことになるので、導光部材５に作用する外力Ｆを小さくすることができる。
【００３３】
また、フィニッシャ部材４の内周部分などに上方から外力Ｆが作用して、フィニッシャ部材４の開口部４ａの縁部が、導光部材５の内周面の凹部５ａに当たった場合でも、フィニッシャ部材４の開口部４ａの縁部が、導光部材５の内周面の凹部５ａから外れるように変形することにより、導光部材５に作用する外力Ｆが低減される。
【００３４】
（３）入光部３１の挿入端部３３の近傍に侵入防止用拡径部３５を設けた。これにより、飲料や雨水などの液体３４が入光部３１を伝わって光源ホルダ３６の側へ流れて行った場合でも、侵入防止用拡径部３５が、液体３４の伝わりを阻止するので、液体３４の出射孔部３２への侵入を効果的に防止することができる。以って、液体３４の侵入による光源６の故障を防止することができる。
【００３５】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００３６】
１    カップホルダ
３    カップホルダ本体
４    フィニッシャ部材
５    導光部材
６    光源
１１  導光部材設置部
１２  フィニッシャ部材固定部
１３  間隙部
２１  立上部
２２  固定用ボス部
３１  入光部
３２  出射孔部
３３  挿入端部
３４  液体
３５  侵入防止用拡径部
３６  光源ホルダ
Ｆ    外力
【図１】
2015223968.tif 000003
【図２】
2015223968.tif 000004
【図３】
2015223968.tif 000005
【図４】
2015223968.tif 000006
【図５】
2015223968.tif 000007
【図６】
2015223968.tif 000008
【図７】
2015223968.tif 000009